(57)【特許請求の範囲】
【請求項１】
相互に並列されかつ口頸部４を起立する左右一対の２連の容器体２と、
これら容器体の口頸部４の外面と嵌合する支持孔１０を有する支持台８を含み、この支持台の外周部から外周壁１６を起立した支持部材６と、
上記外周壁１６内に嵌合され、上記各容器体の口頸部からそれぞれ内容物を吸い上げ、混合させてノズル５８から注出する注出機構３０とを備えた２液注出容器であって、
上記注出機構３０は、各容器体の口頸部４の内面側に下部を嵌合するとともに上記ノズル５８に連通する左右一対の脚筒４６を有し、
これら脚筒を除く注出機構３０の下面と支持台８との間に弾性押上げ部材６０を介在させるとともに、この弾性押上げ部材を内方へ押し込むための押釦７０を設け、その押込みにより弾性押上げ部材が上方へ曲がって注出機構を押し上げ、上記脚筒４６を容器体の口頸部４から離脱させることが可能に構成した２液混合容器。
【請求項２】
上記弾性押上げ部材６０は、上方から見て左右方向に長いリング体６２を有し、このリング体６２の左右方向中間部を、リング体の残りの部分６２ｂより変形し易い変形用部６２ａとしたことを特徴とする、請求項１記載の２液混合容器。
【請求項３】
上記変形用部６２ａは、予め前後方向内方側に２つの脚筒４８間の空間内へ突入する形に付形したことを特徴とする、請求項２記載の２液混合容器。
【請求項４】
上記支持台８及びリング体６２の対応箇所の一方には、前方からみて傾斜した案内斜面１４を、他方には、上記押釦の押込みにより案内斜面へ圧接可能な摺動凸部６８をそれぞれ形成したことを特徴とする、請求項２又は請求項３記載の２液混合容器。
【請求項５】
上記注出機構３０は、上記外周壁１６に嵌め込まれかつ上記一対の脚筒４６の外面に嵌着させた嵌合孔３６を有する中栓形状の連結具３２を具備し、この連結具の下面を上記リング体の上面に載置したことを特徴とする、請求項２から請求項４の何れかに記載の２液混合容器。
【請求項６】
上記連結具３２は、上記外周壁１６の内面に嵌合する連結筒３８を有し、
これら連結筒３８及び外周壁１６に、押釦７０の押込みにより注出機構３０が押し上げられたときに、この押上げ状態を保持することが可能に相互に係合する係止凸部４０と係止凹部２２とを設けたことを特徴とする、請求項５記載の２液混合容器。
【発明の詳細な説明】
【技術分野】
【０００１】
本発明は、２液注出容器に関する。
【背景技術】
【０００２】
この種容器として、それぞれ口頸部を起立する２連の容器体と、この容器体の口頸部と連結させた支持部材と、各容器体の口頸部に連結され、各口頸部から注出した液体を混合し、ノズルから注出する機構とを有するものが知られている（特許文献１）。
【先行技術文献】
【特許文献】
【０００３】
【特許文献１】特開２００１−３４１７８６
【発明の概要】
【発明が解決しようとする課題】
【０００４】
特許文献１の容器は、支持部材と注出機構とを有しており、容器体の内容液を使いきった後に容器全体を使い捨てにすることは資源の無駄となる。容器体の使用後に新たな容器体と交換することが望ましいが、容易に交換するための工夫は特に開示されていない。
【０００５】
本発明の目的は、２液注出容器であって容器体のリフィール作業を容易に行うことができるものを提案することである。
【課題を解決するための手段】
【０００６】
第１の手段は、相互に並列されかつ口頸部４を起立する左右一対の２連の容器体２と、
これら容器体の口頸部４の外面と嵌合する支持孔１０を有する支持台８を含み、この支持台の外周部から外周壁１６を起立した支持部材６と、
上記外周壁１６内に嵌合され、上記各容器体の口頸部からそれぞれ内容物を吸い上げ、混合させてノズル５８から注出する注出機構３０とを備えた２液注出容器であって、
上記注出機構３０は、各容器体の口頸部４の内面側に下部を嵌合するとともに上記ノズル５８に連通する左右一対の脚筒４６を有し、
これら脚筒を除く注出機構３０の下面と支持台８との間に弾性押上げ部材６０を介在させるとともに、この弾性押上げ部材を内方へ押し込むための押釦７０を設け、その押込みにより弾性押上げ部材が上方へ曲がって注出機構を押し上げ、上記脚筒４６を容器体の口頸部４から離脱させることが可能に構成した。
【０００７】
本手段は、図４に示す如く２連の容器体を支持する支持台８と注出機構３０との間に弾性押上げ部材６０を設けることを提案している。これにより弾性押上げ部材６０の押釦７０を押し込むことにより、注出機構を容器体の口頸部から離脱させることができる。
【０００８】
「弾性押上げ部材」は、押釦の押込み操作により上方へ曲がって注出機構を押し上げるものである。“上方へ曲がる”とは、図１０の如く“く”の字に屈曲すること、全体として弓状に撓み変形することを含む。押釦は左右方向の押込みが可能に設けることが望ましい。
【０００９】
第２の手段は、第１の手段を有し、かつ上記弾性押上げ部材６０は、上方から見て左右方向に長いリング体６２を有し、このリング体６２の左右方向中間部を、リング体の残りの部分６２ｂより変形し易い変形用部６２ａとした。
【００１０】
本手段は、図３の如く弾性押上げ部材６０のリング体６２の左右方向中間部を変形し易い変形用部６２ａとすることを提案している。変形後に原位置に弾性復元させるため、及び、局部的に変形させることで弾性押上げ部材の不測の変形を防止するためである。上記中間部を変形し易くするためには、当該部分を残りの部分より肉薄とし、或いは変形し易い弯曲形状に予め形成すればよい。
【００１１】
第３の手段は、第２の手段を有し、かつ上記変形用部６２ａは、予め前後方向内方側に２つの脚筒４８間の空間Ｓ内へ突入する形に付形した。
【００１２】
本手段は、図３に示す如く上記変形用部を２つの脚筒間の空間内へ突入する形に設けることを提案している。変形用部の変形代が長くなるので、押込み操作が容易となり、また脚筒間の空間を変形用部の収納用空間として活用することができる。
【００１３】
第４の手段は、第２の手段又は第３の手段を有し、かつ
上記支持台８及びリング体６２の対応箇所の一方には、前方からみて傾斜した案内斜面１４を、他方には、上記押釦の押込みにより案内斜面へ圧接可能な摺動凸部６８をそれぞれ形成している。
【００１４】
本手段は、図４に示す如く、支持台及びリング体に案内斜面１４と摺動凸部６８とを形成することを提案する。案内斜面を摺動凸部がスライドすることでリング体を押し上げて強制的に変形させることができる。
【００１５】
第５の手段は、第２の手段から第４の手段のいずれかを有し、かつ
上記注出機構３０は、上記外周壁１６に嵌め込まれかつ上記一対の脚筒４６の外面に嵌着させた嵌合孔３６を有する中栓形状の連結具３２を具備し、この連結具の下面を上記リング体の上面に載置している。
【００１６】
本手段は、図４に示す如く、外周壁内に嵌め込むとともに、一対の脚筒４６の外面に嵌着させた嵌合孔３６を有する連結具３２を提案する。脚筒相互を連結具で固定し、外周壁に対して両脚筒が均等に昇降するようにするためである。
【００１７】
第６の手段は、第３の手段を有し、かつ
上記連結具３２は、上記外周壁１６の内面に嵌合する連結筒３８を有し、
これら連結筒３８及び外周壁１６に、押釦７０の押込みにより注出機構３０が押し上げられたときに、この押上げ状態を保持することが可能に相互に係合する係止凸部４０と係止凹部２２とを設けている。
【００１８】
本手段では、例えば図１１に示すように係止凸部４０が係止凹部２２に係止することで、容器体の交換作業中に注出機構が不意に下降することを防止している。
【発明の効果】
【００１９】
第１の手段に係る発明によれば、弾性押上げ部材６０を用いて注出機構３０を押し上げできるように設けたから、注出機構の脚筒４６と容器体の口頸部とを分離して、容器体のリフィール作業を行うことが容易となる。
【００２０】
第２の手段に係る発明によれば、弾性押上げ部材６０は、左右方向中間部を変形用部６２ａとするリング体６２を含むから、注出機構３０を押し上げるための変形が容易である。
【００２１】
第３の手段に係る発明によれば、上記変形用部６２ａを、予め前後方向内側に突入する形に付形したから、変形代が長くなり、押込み操作が容易となる。
【００２２】
第４の手段に係る発明によれば、支持台８及びリング体の対応箇所に、相互に係合する案内斜面１４及び摺動凸部６８を設けたから、注出機構３０の押上げがさらに確実になる。
【００２３】
第５の手段に係る発明によれば、注出機構の一対の脚筒４６と嵌着させた中栓形状の連結具３２を外周壁１６内に嵌め込み、この連結具をリング体の上面に載置したから、各脚筒に対する押上げ力を均等化することができる。
【００２４】
第６の手段に係る発明によれば、連結筒３８と支持台の外周壁１６とに設けた係止凸部及び係止凹部で注出機構３０の押上げ状態を維持させたから、容器体の交換が簡単である。
【図面の簡単な説明】
【００２５】
【図１】本発明の第１実施形態に係る容器の正面図である。
【図２】図１の容器の平面図である。
【図３】図１の容器のＩＩＩ−ＩＩＩ線方向の横断面図である。
【図４】図３の容器をＩＶ−ＩＶ線方向に見た縦断面図である。
【図５】図１の容器を側方から見た縦断面図である。
【図６】図１の容器の主要部分の平面図である。
【図７】図６の主要部分の正面図である。
【図８】図１の容器の他の要部の拡大図である。
【図９】図１の容器の押釦押し込み状態での一部断面平面図である。
【図１０】図１の容器の押釦押し込み状態での縦断面図である。
【図１１】図１の容器の押釦押し込み状態での縦断面図である。
【図１２】図１の容器の蓋開放状態での一部切欠き正面図である。
【発明を実施するための最良の形態】
【００２６】
図１から図１２は、本発明の第１の実施形態に係る２液注出容器である。この容器は、図４に示す如く２連の容器体２と、支持部材６と、注出機構３０と、弾性押上げ部材６０とで構成されている。これらの部材は特に断らない限り合成樹脂で形成することができる。
【００２７】
容器体２は、有底の筒壁の上端から肩部を介して口頸部４を起立している。
【００２８】
支持部材６は、上記口頸部４の外面を嵌合するための支持孔１０を開口した左右方向に長い支持台８を有する。図示例では、この支持台８の下面外周に有底筒形のケース体７を連結している。またケース体の筒壁前半部は後半部に対して回動自在に枢着した蓋７ａとしており、枢着部と反対側に指掛け部を兼ねたロック手段７ｂを設けている。
【００２９】
図示例では、上記支持孔１０の下縁から突出する内向きフランジの先部に２重筒状の挟持手段１２を設け、この２重筒の間に口頸部４を挟持している。挟持手段の内筒部の内側には、吸上げ弁ｖ１を設ける。
【００３０】
上記支持台８の上面のうち各支持孔１０の前後両側には、例えば図１０に示すように浅いくぼみを設け、その窪みの内面を、前方からみて、左右方向内側上方へ傾斜する案内斜面１４に形成している。
【００３１】
上記支持台８の上面の外縁からは、直筒状の外周壁１６を起立する。この外周壁１６の左右中間部の上部は、図５に示す如く、内方へ浅く凹ませた肉薄部１８としている。この肉薄部の内面には、後述の係止凸部を留めるための係止凹部２２を形成し、この係止凹部のやや下方には係止凸部の収納用凹部２０を設ける。収納用凹部２０は、上内方への傾斜面を有している。
【００３２】
注出機構３０は、上記支持部材６に装着した基部３０ａと、基部に対して昇降自在な可動部３０ｂとで構成している。上記基部３０ａは、連結具３２と筒部材４４とで形成することができる。好適な図示例では、注出機構３０は、左右方向に対称であり、前後方向にも後述のノズルなどの一部を除いてほぼ対称である。
【００３３】
上記連結具３２は、外周壁１６内に嵌合された略中栓状の部材であり、水平な基板３４の二か所を開口し、各開口から起立する嵌合筒４２の内面を、後述の脚筒への嵌合孔３６としている。
【００３４】
上記基板３４の外縁からは、外周壁への嵌合用の連結筒３８を起立し、この連結筒の外面に、図１１に示す注出機構３０の押上げ状態で上記係止凹部と係合する係止凸部４０を設ける。係止凸部は、注出機構が下がった通常の状態では収納用凹部２０内にある。またこの通常の状態で係止凹部と係合する抜止め凸部４１を係止凸部上方に設けている。
【００３５】
上記筒状部材４４は、２つの口頸部４から上記可動部３０ｂへ連続する流路を形成する部材であって、図示例では、上記連結具の嵌合孔３６内へ嵌合固定されたポンプ筒４８と、このポンプ筒の外面及び口頸部４の内面側に嵌合した、下半部小径の脚筒４６で形成している。ポンプ筒４８は下端側を連続した二重筒状であり、内筒４８ａと外筒４８ｂとの間から内筒４８ａ内へ折り返す抜止め筒部５０を設けている。
【００３６】
上記可動部３０ｂは、上記ポンプ筒の内筒４８ａ内に挿入した一対の導液管５６と、これら導液管を、カバー筒５２の頂板の下側に形成した合流用流路５４を介して、カバー筒前方へ突出するノズル５８へ連通させている。可動部は上方へ付勢されている。
【００３７】
弾性押上げ部材６０は、図４に示すように、支持台８と注出機構３０と介在させた水平方向にほぼ平坦な部材であり、図１０のように内方押込みにより屈曲して注出機構を押し上げることが可能な程度の強度を有する。
【００３８】
図示の弾性押上げ部材６０は、図３に示すように左右に長いリング体６２とこのリング体の左右両側から突出する押釦７０とを有し、上記リング体６２のリング孔６４内に一対の脚筒４６を挿通可能に形成している。また、上記押釦７０の押込みを可能とするために、それら脚筒とリング孔の左右方向の縁部との間には、リング体の圧縮代ｄをとる。
【００３９】
上記リング孔６４は、前後方向の巾が一定であり、かつ脚筒の外径に対応する前後巾を有する長円形又は長方形とすることが好適である。
【００４０】
上記押釦７０は、外周壁１６の左右両側の貫通孔１７を介して容器外方へ突出している。この図示例では、変形用のリング体と操作用の押釦とを一体に形成しているので、例えば押釦を支持部材の一部に形成する場合に比べて簡易な構造とすることができる。
【００４１】
上記リング体６２の左右方向中間部は、リング体の残りの部分よりも左右方向に圧縮変形し易い前後一対の変形用部６２ａに形成している。不測の変形を防止するためである。
図示例では、上記変形用部を、予め略Ω状に弯曲させた変形容易なバネに形成し、かつ変形用部を除くリング体のリム状部分６６を変形用部に比べて肉厚の剛性部としている。しかしながら、変形用部６２ａは、予め弯曲させているが肉薄でないもの、肉薄であるが予め弯曲させていないものであってもよい。
【００４２】
さらに図示例では、図７に示すようにリング体の外周部と内周部との間に段差６７があり、連結具の基板下面から下方へ突出した連結筒の下端が上記段差６７内に嵌るようにしている（図４参照）。
【００４３】
上記リング体６２のリム状部分６６の下面には、摺動凸部６８を付設する。この摺動凸部６８は、支持台の案内斜面１４と当接または近接するように配置し、押釦７０を押し込んだときに案内斜面の上に乗り上げ、リング体６２を上方に押し上げるように設ける。摺動凸部が案内斜面と対応する傾斜面を有するように形成すると好適である。図示例と異なり、リング体側に案内斜面付きのくぼみを、また支持台側に摺動凸部をそれぞれ設けても構わない。
【００４４】
好適な図示例において、弾性押上げ部材６２は、図３に示す如く左右方向の中心軸Ｏ１及び前後方向の中心軸Ｏ２に対してほぼ線対称であり、かつ前後一対の変形用部６２ａを含めて対称位置の強度及び弾性は均等に形成されている。摺動凸部６８もリング体の右前、左前、右後、左後の対称に位置に４箇所設けられており、これら各箇所で同程度の押上げ力が得られるようにほぼ同一の形態に形成している。これにより、注出機構３０を均等に押し上げることが可能である。
【００４５】
上記構成において、注出機構３０の可動部３０ｂを押し下げると、各容器体２の内容物がポンプ筒により吸い上げられ、間隙５４内で混合してノズル５８から混合液体として注出される。
【００４６】
容器体２内の内容物を使いきったときには、弾性押上げ部材６０の押釦７０を図９に矢示するように内方へ押し込めばよい。そうすると上記リム状部分の下面に付設した摺動凸部６８が係合凹部の案内斜面１４に乗り上げる。これにより、リム状部分に比べると弾性押上げ部材の変形用部６２ａは屈曲し易いので、弾性押上げ部材６０は全体として図１０に示すように弾性押上げ部材が“く”の字状に変形する。これにより注出機構３０が押し上げられ、脚筒４６の下部が容器体の口頸部４から離脱する。
【００４７】
このとき連結具３２は、注出機構の両脚筒４６を相互に対して固定されており、また連結具３２の連結筒３８が外周壁に嵌合させているので、２つの脚筒の押上げ量のばらつきを低減できる。摺動凸部及び案内斜面を前後・左右の対称位置に配置することでそのばらつきはさらに小さくなる。
【００４８】
注出機構３０の押し上げにより、図８に示すように係止凸部４０が収納用凹部２０内の傾斜面をスライドして（図８（Ｂ）参照）係止凹部２２内に係止する。これにより、押釦７０から手を離しても注出機構３０の上昇状態を維持できる。
【００４９】
この状態でケース体７０の蓋７０ａを開き、支持台８の支持孔１０から容器体２の口頸部を引き抜き、かつ新たな容器体を装着すればよい。
【符号の説明】
【００５０】
２…容器体  ４…口頸部  ６…支持部材  ７…ケース体  ７ａ…蓋  ７ｂ…ロック手段
８…支持台  １０…支持孔
１２…挟持手段  １４…案内斜面  １６…外周壁
１７…貫通孔  １８…肉薄部  ２０…収納用凹部  ２２…係止凹部  
３０…注出機構  ３０ａ…基部  ３０ｂ…可動部  ３２…連結具
３４…基板  ３６…嵌合孔  ３８…連結筒  ４０…係止凸部  ４１…抜止め凸部
４２…嵌合筒  ４４…筒部材  ４６…脚筒  ４８…ポンプ筒  ４８ａ…内筒
４８ｂ…外筒  ５０…抜止め筒
５２…カバー筒  ５４…間隙  ５６…導液管  ５８…ノズル
６０…弾性押上げ部材  ６２…リング体  ６２ａ…変形用部
６２ｂ…リング体の残りの部分  ６４…リング孔  ６６…リム状部分
６７…段差  ６８…摺動凸部  ７０…押釦
ｖ１…吸上げ弁  ｖ２…吐出弁  Ｏ１…左右方向中心軸  Ｏ２…前後方向中心軸
Ｓ…空間
【図１】
0005408669.tif 000002
【図２】
0005408669.tif 000003
【図３】
0005408669.tif 000004
【図４】
0005408669.tif 000005
【図５】
0005408669.tif 000006
【図６】
0005408669.tif 000007
【図７】
0005408669.tif 000008
【図８】
0005408669.tif 000009
【図９】
0005408669.tif 000010
【図１０】
0005408669.tif 000011
【図１１】
0005408669.tif 000012
【図１２】
0005408669.tif 000013